(57)【要約】【課題】  絶縁シートがベースカバーに適切に載置された状態で絶縁シートの先端部同士を容易に重ね合わせることができる放電ランプ用点灯装置等の電気機器を提供する。【解決手段】  絶縁シート３の一対の縦壁部３２ａ、３２ｂは、その先端部がベースケース２に嵌着されるカバーケース５の天板部５ａまたは傾斜板部５ｂの内面と当接して弾性曲成されて内側へ傾くように変形される。このとき、一方の縦壁部３２ａの先端部側には曲折部３９が形成されているので、一方の縦壁部３２ｂの先端部よりもベースケース２側に傾斜しながら変形する。天板部５ａの内側では曲折部３９が形成された一方の縦壁部３２ａの先端部側が内側となるように先端部同士が互いに重なり合わされ、自動組立装置による絶縁シート３の先端部同士の重ね合わせ工程も容易に実現することが可能となる。【選択図】  図１
2010244750.tif 000002
【特許請求の範囲】
【請求項１】
底面部及びこの底面部の両側から上方に連続する一対の側壁部により樋状に構成され、前記一対の側壁部に第１の係合部及び抑止部が形成されたベースケースと；
天板部及びこの天板部の両側から連続して形成された一対の側板部を有し、この一対の側板部が前記ベースケースの側壁部にそれぞれ重なるように係合するカバーケースと；
弾性を有するフィルムにより構成され、ベースケースの底面部内面に沿った底部及びこの底部の両側からベースケースの側壁部内面に沿って上方に連続する一対の縦壁部を有し、この一対の縦壁部の一方の先端部側には内方へ曲折する曲折部が形成され、一対の縦壁部の先端部のそれぞれがカバーケースの内面と当接して弾性曲成されて曲折部が形成された先端部側が内側となるように天板部の内側で互いに重なり合わされた絶縁シートと；
電気部品が実装された回路基板により構成され、回路基板が絶縁シートを介してベースケースの底面部側に配置された電気回路と；
を具備したことを特徴とする電気機器。
【請求項２】
絶縁シートの曲折部は、内側へ曲折する第１曲折部と縦壁部の先端面が縦壁部の基端面と平行となるように外側へ折り返す第２曲折部とを有することを特徴とする請求項１に記載の電気機器。
【請求項３】
点灯装置として使用される請求項１または２記載の電気機器と；
この点灯装置により点灯される光源と；
前記点灯装置及び光源を配置している器具本体と
を具備することを特徴とする照明器具。
【発明の詳細な説明】
【技術分野】
【０００１】
本発明は、樋状のベースケースと、その蓋であるカバーケースとにより箱状に構成されており、箱状の内部に設けられる回路を絶縁するための絶縁シートを備える放電ランプ用点灯装置等の電気機器に関するものである。
【背景技術】
【０００２】
従来の電気機器としての放電ランプ用点灯装置においては、ベースケースとこれの蓋であるカバーケースの内部に、絶縁シートを介してプリント基板を配置した構造を有している（特許文献１参照）。
【０００３】
上記従来の電気機器は、プリント基板全周を１枚の絶縁シートで覆い、この絶縁シートの先端部同士を重ね合わせることでベースケースおよびカバーケースの内面とプリント基板との絶縁を確保している。そして、この絶縁シートは、カバーケースをベースケースに嵌着するときに先端部同士を重ね合わせて先端部同士をテープで貼着するか、カバーケースの内側に係止片を設けられた外側の先端部を係止することで位置ずれが起きないように固定されている。
【先行技術文献】
【特許文献】
【０００４】
【特許文献１】特開２００２−２９００６４号公報
【発明の概要】
【発明が解決しようとする課題】
【０００５】
しかしながら、上記従来の電気機器は、絶縁シートの先端部に作業者がテープを貼着する工程が煩雑であり、また省力化のために自動組立装置によるテープの貼着工程を設けることが困難である。また、カバーケース内面に絶縁シートの先端部を係止する係止片を設けることは加工コストが高くなり、また係止片の係止方向と絶縁シートの外側先端部の方向とを合わせるように先端部同士を重ね合わせなければならず、自動組立装置による絶縁シート先端部同士の重ね合わせ工程が必要であった。
【０００６】
本発明は、上記の課題に鑑みてなされたものであり、絶縁シートがベースカバーに適切に載置された状態で絶縁シートの先端部同士を容易に重ね合わせることができる放電ランプ用点灯装置等の電気機器を提供する。
【課題を解決するための手段】
【０００７】
本発明に係る電気機器は、底面部及びこの底面部の両側から上方に連続する一対の側壁部により樋状に構成され、前記一対の側壁部に第１の係合部及び抑止部が形成されたベースケースと；天板部及びこの天板部の両側から連続して形成された一対の側板部を有し、この一対の側板部が前記ベースケースの側壁部にそれぞれ重なるように係合するカバーケースと；弾性を有するフィルムにより構成され、ベースケースの底面部内面に沿った底部及びこの底部の両側からベースケースの側壁部内面に沿って上方に連続する一対の縦壁部を有し、この一対の縦壁部の一方の先端部側には内方へ曲折する曲折部が形成され、一対の縦壁部の先端部のそれぞれがカバーケースの内面と当接して弾性曲成されて曲折部が形成された先端部側が内側となるように天板部の内側で互いに重なり合わされた絶縁シートと；電気部品が実装された回路基板により構成され、回路基板が絶縁シートを介してベースケースの底面部側に配置された電気回路と；を具備したことを特徴とする。
【０００８】
絶縁シートは、ポリエチレンテレフタレート（ＰＥＴ）などの弾性を有する１枚のフィルムで形成されている。絶縁シートの一対の縦壁部は、その先端部がカバーケースの嵌着時にカバーケースの内面と当接してそれぞれカバーケースの内面と当接して弾性曲成されて内側へ傾くように変形される。このとき、一対の縦壁部の一方の先端部側には内方へ曲折する曲折部が形成されているので、先端部同士が内側へ傾いたときに両者が突き合わされるように干渉して所望の形状に弾性曲成することが妨げられることがなく、天板部の内側では曲折部が形成された先端部側が内側となるように先端部同士が互いに重なり合わされる。このため、自動組立装置による絶縁シート先端部同士の重ね合わせ工程も容易に実現することが可能である。
【０００９】
請求項２は、請求項１に記載の電気機器において、絶縁シートの曲折部は、内側へ曲折する第１曲折部と縦壁部の先端面が縦壁部の基端面と平行となるように外側へ折り返す第２曲折部とを有することを特徴とする。
【００１０】
絶縁シートの曲折部は、縦壁部の先端面が縦壁部の基端面と平行となっているので、絶縁シートの一対の縦壁部がベースケースの一対の側壁部に沿って延設され、その上方には絶縁シートの底面部とほぼ同等寸法の開口が形成される。このため、電気回路を絶縁シートの底部に載置する作業を容易に行うことが可能となる。
【００１１】
請求項３の照明器具は、点灯装置として使用される請求項１または２記載の電気機器と；この点灯装置により点灯される光源と；前記点灯装置及び光源を配置している器具本体とを具備することを特徴とする。
【００１２】
点灯装置として使用される場合の点灯用光源としては、蛍光ランプ、ＬＥＤなどを採用することができる。
【発明の効果】
【００１３】
本発明によれば、絶縁シートの一対の縦壁部の一方の先端部側に内方へ曲折する曲折部が形成されているので、天板部の内側で曲折部が形成された先端部側が内側となるように先端部同士が互いに重なり合わされる。このため、カバーケースの嵌着時にカバーケースの内面と当接して先端部同士が内側へ傾いたときに両者が突き合わされるように干渉して所望の形状に弾性曲成することが妨げられることがなく、所望の重ね合わせを行うことができ、絶縁性を確保した電器機器を提供することができる。
【図面の簡単な説明】
【００１４】
【図１】本発明の電気機器に係る実施例の構成を示す一部省略斜視図。
【図２】本発明の電気機器に係る実施例のベースケース側の構成を示す一部省略斜視図。
【図３】本発明の電気機器に係る実施例のカバーケースの構成を示す一部省略斜視図。
【図４】本発明の電気機器に係る実施例に適用される絶縁シートの構成を示す図であり、（ａ）は平面図、（ｂ）は正面図
【図５】図４の絶縁シートが弾性曲成される過程を示す概略側面図。
【図６】本発明の電気機器に係る実施例の製造工程を示す要部斜視図。
【図７】本発明の電気機器としての放電ランプ点灯装置に係る実施例を用いて構成した照明器具の構成を示す斜視図。
【発明を実施するための形態】
【００１５】
以下添付図面を参照して、本発明に係る点灯装置等の電気機器及び照明器具の実施例を説明する。各図において同一の構成要素には、同一の符号を付し重複する説明を省略する。本実施例に係る電気機器は放電ランプ点灯装置を示すものであり、図１に要部斜視図を示し、図２にカバーケースを取り外した状態の要部斜視図を示し、図３にカバーケース及び第２の絶縁シートの要部斜視図を示す。
【００１６】
上記各図に示されている放電ランプ点灯装置１は、ベースケース２、絶縁シート３、点灯回路４及びカバーケース５を主な構成要素としている。絶縁シート３は、ベースケース２の内側に沿って配置されており、金属製のベースケース２と点灯回路４との電気的接続を遮断している。点灯回路４は、回路基板６に電気部品を実装した構成を有している。カバーケース５は、ベースケース２に覆い被さる蓋の機能を有している。カバーケース５とベースケース２により構成される筐体内には、絶縁シート３に覆われた状態で点灯回路４が収納される。
【００１７】
ベースケース２は、例えば１枚の金属製の平板を折り曲げて、底面部２ａの両側部に一対の側壁部２ｂ、２ｂを備えるように構成されている。金属としては、例えば鋼板材が用いられる。上記底面部２ａは、細長い長方形の形状に形成されている。また、一対の側壁部２ｂ、２ｂは、底面部２ａの長手方向に沿うように両側から上方に折り曲げられ、底面部２ａとほぼ直交し互いに対向してベースケース２の全体が略樋形状に形成されている。そして、上記側壁部２ｂ、２ｂは、長手方向の両側の側縁２ｂｂ、２ｂｂが下側に向かって拡がるように傾斜しており、全体として断面が略台形状に形成されている。
【００１８】
一対の側壁部２ｂ、２ｂは、図２に示されるようにその長手方向の一端側２ｂａ及び図示しない他端側及び中央位置に、係合受部である孔８と、四角形状の透通孔１０がそれぞれ形成されている。孔８は、円形状に形成され、カバーケース５の係合部である凸部（ベースケース２側へ向かって凸）１６と係合する大きさに形成されている。
【００１９】
更に、一対の側壁部２ｂ、２ｂにおいては、その長手方向の一端側２ｂａ及び図示しない他端側及び中央位置に、それぞれ側壁部２ｂ、２ｂの内側に突出する長形の基板支持段部２２がベースケース２の抑止部及び突起部として形成されている。合計６個である基板支持段部２２は、予め基板支持段部２２の形状に対応するように形成された第１の絶縁シート３の鍔部３３を介して回路基板６を支持する。更に、底面部２ａの長手方向の一端側２ａａ及び図示しない他端側には、取付孔１２が穿設されている。
【００２０】
絶縁シート３は、平面状に形成された絶縁性の例えばポリエチレンテレフタレート（ＰＥＴ）などの弾性を有する樹脂フィルムにより構成され、ベースケース２の内面に沿ってベースケース２に配置され、一部が側壁部２ｂ、２ｂから上方へ突出している。第１の絶縁シート３の厚さは、例えば0.2 〜1.0 ｍｍである。
【００２１】
絶縁シート３は、図４ないし図６に示すように構成され、ベースケース２の底面部２ａ内面に沿う形状の底部３１を有する。底部３１の両側には、ベースケース２における一対の側壁部２ｂ、２ｂ内面に沿った縦壁部３２ａ、３２ｂを有する。縦壁部３２ａ、３２ｂの高さの上端部から概ね４分の３の位置において、縦壁部３２ａ、３２ｂを長手方向に延びる折線により内側に折り曲げられて鍔部３３、３３が形成されている。なお、図２において、他方の縦壁部３２ｂの先端部側は説明のために切欠きにより図示を省略している。
【００２２】
上記の鍔部３３、３３より底部３１側の角部へ延びる傾斜部３４、３４が形成されている。第１の絶縁シート３における傾斜部３４、３４と底部３１の結合部分は、ベースケース２の角部２ｃ、２ｃへ向かって鋭角に突出した鋭角部３５、３５とされている。
【００２３】
また図４に示すように、第１の絶縁シート３の底部３１における長手方向両端部には、後述の起立片１１と当接するための「３」字状の周縁部を有する切込部３６が形成されている。第１の絶縁シート３の縦壁部３２、３２における長手方向両端部は、長方形状に切り取られて背低部３７が形成されており、ベースケース２の縦壁部３２、３２における長手方向両端部の形状に合致させられている。更に、第１の絶縁シート３における一方の縦壁部３２の中央部には、四角形状の切欠部３８が形成されている。切欠部３８は、回路基板６に実装されたトランジスタの図示せぬ放熱板を突出させて、放熱板とカバーケース５が接触可能とするための構成である。
【００２４】
図５（ａ）に示すように、一対の縦壁部３２ａ、３２ｂの一方の縦壁部３２ａには、その先端部側が内方へ曲折する曲折部３９が形成されている。この曲折部３９は、縦壁部３２ａの先端部側を内側へ曲折する第１曲折部３９ａと縦壁部３２ａの先端面３２ａａが縦壁部の基端面３２ａｂと平行となるように外側へ折り返す第２曲折部３９ｂとを有している。第１曲折部３９ａの折り曲げ角度は１２０〜１５０°の範囲内とするのが好ましい。また、第２曲折部３９ｂは第１曲折部３９ａの折り曲げ角度と同じ角度で折り返されている。他方の縦壁部３２ｂは、その鍔部３３よりも上方側が平坦面となっており、一対の縦壁部３２ａ、３２ｂの先端部同士の高さはほぼ同一となっている。
【００２５】
点灯回路４は、電気部品が回路基板６に実装されて構成されている。回路基板６は、例えばガラスエポキシ材や紙フェノール材などにより構成されるものであり、長方形状に形成され、その長手方向の寸法がベースケース２の側壁部２ｂにおける上面２ｂｃの長手方向の寸法によりも幾分小さく、その幅寸法が一対の側壁部２ｂ、２ｂ間の寸法から第１の絶縁シート３の厚さを減じた値より幾分小さくなるように設計されている。
【００２６】
更に、回路基板６には、その上面６ａにおいて、一端側６ｂに入力用の端子台１３が配設されており、図示しない他端側に出力用の端子台が配設されている。入力用の端子台１３には、商用交流電源からの電源線が接続され、出力用の端子台からは、放電ランプが装着されるランプソケットに接続されるリード線が導出される。
【００２７】
電気部品は、回路基板６の入力用の端子台１３と出力用の端子台との間に実装されており、コンデンサＣ１、インダクタＬ１更に図示しないトランジスタなどによって、交流電圧を直流電圧へ変換する直流電源回路、直流電圧を高周波交流電圧へ変換するインバータ回路、更に放電ランプに共振電圧を印加する共振回路などが形成されている。
【００２８】
上記の点灯回路４は、第１の絶縁シート３を介してベースケース２の底面部２ａ側に配置されている。すなわち、回路基板６は、側壁部２ｂ、２ｂに設けられた基板支持段部２２により支持され、回路基板６の長手方向の両端側及び第１の絶縁シート３の両端部に形成された切込部３６が底面部２ａの切り起しにより形成された起立片１１により移動が規制されている。基板支持段部２２は、図６に示されるように、回路基板６の上面６ａがベースケース２の透通孔１０の基部１０ｄと一致する高さとなるように、底面部２ａからの高さ寸法が設定されている。
【００２９】
カバーケース５は、例えば鋼板材により構成され、一対の側板部５ｃ、５ｃ及びこの一対の側板部５ｃ、５ｃをつなぐ天板部５ａを有する。より詳細には、カバーケース５は、一枚の平板を折り曲げて構成したもので、長方形状の天板部５ａと、この天板部５ａの長手方向に沿う両端に連設すると共に天板５ａに対して互いに内向きに傾斜する一対の傾斜板部５ｂ、５ｂを備える。この一対の傾斜板部５ｂ、５ｂには、その長手方向に沿うように互いにほぼ平行に対向する一対の側板部５ｃ、５ｃが連設している。更に、天板部５ａにおける長手方向の両端には、天板部５ａに対しほぼ直交するように形成された一対に端板部５ｄ、５ｄが天板部５ａに連設している。この端板部５ｄ、５ｄは、平面形状が略五角形状をなし、カバーケース５における長手方向の両側端の開口１４の上側を略閉塞している。側板部５ｃ、５ｃは、傾斜板部５ｂ、５ｂを介して天板部５ａの長手方向に沿う両側に連設されている。
【００３０】
更に、カバーケース５は、その長手方向が回路基板６に配設されている入力用の端子台１３と出力用の端子台との間に位置する大きさに形成されている。また、ベースケース２にカバーケース５を被嵌したときに、側板部５ｃ、５ｃの開放端５ｃａ、５ｃａがベースケース２の底面部２ａの位置よりも外方側に突出しないように、側板部５ｃ、５ｃの丈寸法（カバーケース５の高さ寸法）が設定されている。また、端板部５ｄの開放端５ｄａが回路基板６の上面６ａに当接することがないように、端板部５ｄの天板からの深さ（高さ）が設定されている。更に、一対の側板部５ｃ、５ｃの内面がベースケース２の一対の側壁部２ｂ、２ｂの外面に重なり合うことができるように、側板部５ｃ、５ｃの間隔が設定されている。カバーケース５が全体として弾性を有し、一対の側板部５ｃ、５ｃに対し拡開するように変形させると、当初の形状に弾性復帰するような力が付与される。
【００３１】
絶縁シート３をベースケース２の内面に配置するためには、鋭角部３５、３５を結ぶ底部３１の中央部が上に凸となるように絶縁シート３を湾曲変形させる。この状態のまま絶縁シート３の鋭角部３５、３５を、ベースケース２の底面部２ａに沿わせて角部２ｃ、２ｃに近接させた状態として、絶縁シート３を湾曲状態から解除する。すると、絶縁シート３の弾性により鋭角部３５、３５がベースケース２の角部２ｃ、２ｃと当接し、絶縁シート３の底部３１がベースケース２の底面部２ａに張り付くように固定される（図６）。
【００３２】
上記固定状態においては、鍔部３３の外下方部が突起部である基板支持段部２２に当接し、回路基板６により構成される電気回路の側縁部６ａａが第１の絶縁シート３の鍔部３３を介して基板支持段部２２に載置される。基板支持段部２２は、第１の絶縁シート３の傾斜部３４、３４をベースケース２の底面部２ａ側に抑止する抑止部の機能をも兼用して有している。鍔部３３と傾斜部３４は、ベースケース２の抑止部と共働して底部３１側をベースケース２の底面部２ａ側へ収納させるように固定する固定機構として機能する。
【００３３】
絶縁シート３は、その一対の縦壁部３２ａ、３２ｂのそれぞれの先端部がカバーケース５の内面と当接して弾性曲成され、一対の縦壁部３２ａ、３２ｂのそれぞれの先端部がカバーケース５の天板部５ａの内側で互いに重なり合わされることで点灯回路４を上方から覆っている。
【００３４】
絶縁シート３がカバーケース５の内面と当接することによって弾性曲成されて点灯回路４を覆う様子を示す概略説明図である。図５では、説明を簡略化するためにカバーケース５の天板部５ａと一対の傾斜板部５ｂ、５ｂのみを示しており、また、実際にカバーケース５をベースケース２に嵌着するときに絶縁シート３の鍔部３３に載置されている回路基板６等は図示を省略している。
【００３５】
図５（ｂ）に示すように、絶縁シート３の一対の縦壁部３２ａ、３２ｂは、その先端部がベースケース２に嵌着されるカバーケース５の天板部５ａまたは傾斜板部５ｂの内面と当接して弾性曲成されて内側へ傾くように変形される。このとき、一方の縦壁部３２ａの先端部側には曲折部３９が形成されているので、一方の縦壁部３２ｂの先端部よりもベースケース２側に傾斜しながら変形する。そして、図５（ｃ）に示すように、天板部５ａの内側では曲折部３９が形成された一方の縦壁部３２ａの先端部側が内側となるように先端部同士が互いに重なり合わされる。したがって、一対の縦壁部３２ａ、３２ｂの先端部同士が内側へ傾いたときに両者が突き合わされるように干渉して所望の形状に弾性曲成しなくなるといった不具合が防止され、自動組立装置による絶縁シート３の先端部同士の重ね合わせ工程も容易に実現することが可能となる。
【００３６】
また、絶縁シート３の曲折部３９は、一方の縦壁部３２ａの先端面３２ａａが縦壁部の基端面３２ａｂと平行となっている。これにより、図５（ａ）に示すように、絶縁シート３の一対の縦壁部３２ａ、３２ｂがベースケース２の一対の側壁部２ｂ、２ｂに沿って延設され、その上方には絶縁シート３の底部３１とほぼ同等寸法の開口が形成される。このため、電気回路を絶縁シート３の底部３１に載置する作業を容易に行うことが可能となる。
【００３７】
なお、一対の縦壁部３２ａ、３２ｂの先端部同士の高さは同一でなくてもよく、いずれか一方が高くなっていてもよい。図５（ｄ）は変形例を示し、他方の縦壁部３２ｂの先端部のほうが高くなっている。この変形例の場合には、他方の縦壁部３２ｂの先端が一方の縦壁部３２ａの先端部と天板部５ａの内面との間に挟まれるように入り込んで互いに重なり合わされている。また、図５（ｄ）の変形例では、第１曲折部３９ａのみで曲折部３９を構成しており、第２曲折部３９ｂが省略されている。
【００３８】
上記一対の側板部５ｃ、５ｃのそれぞれの一端側５ｃｂ、５ｃｂおよび図示しない他端側には、係合部である凸部（ベースケース２側へ向かって凸）１６と開口１５内に爪孔部９が形成されている。凸部１６は、側板部５ｃの外面５ｃｃを例えばプレスすることにより凹ませて形成され、側板部５ｃの内面５ｃｄからカバーケース５の内側に突出している。そして、その突出面は、略球面状（楕円状）に形成されている。凸部１６は、通称ダボ構造に形成されている。爪孔部９から凸部１６までの距離は、爪部９ｃを折り曲げた際に生じる基部９ａ付近に生じる反り返りの影響の範囲を避ける程度に十分長く設定されている。
【００３９】
カバーケース５をベースケース２に連結するときに、ベース２の一対の側壁部２ｂ、２ｂは、カバーケース５の側板部５ｃ、５ｃに挟まれる。これにより、カバーケース５の側板５ｃ、５ｃの内面５ｃｄ、５ｃｄとベースケース２の一対の側壁部２ｂ、２ｂの外面が重なり合う。そして、カバーケース５をベースケース２の底面部２ａ側に押圧して移動させると、カバーケース５の凸部１６が側壁部２ｂ、２ｂの外面に乗り上がる。
【００４０】
凸部１６は、一対の側板部５ｃ、５ｃがベースケース２の一対の側壁部２ｂ、２ｂに重なり合うときに、側壁部２ｂ、２ｂに設けられた孔８に嵌合する。このとき、孔８のほぼ全周の縁部に凸部１６の突出面が当接する。これにより、凸部１６は孔８に強固に固定され、孔８において移動しなくなる。
【００４１】
爪孔部９は、図６に示すように側板部５ｃの外面５ｃｃを切り込むことにより形成されている。爪孔部９には、側板部５ｃの出幅方向（側板部５ｃの長手方向に直交する方向）を向くように爪部９ｃが形成されている。すなわち、爪部９ｃの基部９ａは側板部５ｃの開放端５ｃａ側に位置し、爪部９ｃの先端部９ｂは傾斜板部５ｂ側に位置している。そして、基部９ａを除く爪部９ｃの周囲は、爪部９ｃを折り曲げ易くするための略Ｕ字状の開口１５が形成されている。
【００４２】
カバーケース５がベースケース２に被せられるようにして連結された状態では、カバーケース５の爪孔部９はベースケース２の透通孔１０と重なる。ここで、爪孔部９の開口１５に相当する部位を内面方向に押圧して爪部９ｃを折り曲げる治具を用いて、爪部９ｃが図６に示すように透通孔１０より内側に折り込まれる。
【００４３】
爪部９ｃの内面が、基部９ａと基部１０ｄとを軸として内側に折り込まれることにより、先端部９ｂがベースケース２内面側に侵入し、第１の絶縁シート３に当接し絶縁シート３を介して内面により点灯回路４の回路基板６の上面６ａを押圧して側縁部６ａａを押さえる状態となる。  
【００４４】
本実施形態によれば、絶縁シート３の一方の縦壁部３２ａの先端部側に内方へ曲折する曲折部３９が形成されているので、天板部３ａの内側で一方の縦壁部３２ａの先端部側が内側となるように先端部同士が互いに重なり合わされ、所望の重ね合わせを行うことができ、端子台１３などを除く回路基板６が絶縁シート３に包まれた状態となり、外部と電気的に絶縁される。絶縁性を確保した電器機器を提供することができる。したがって、カバーケース５の嵌着時にカバーケース５の内面と当接して絶縁シート３の縦壁部３２ａ、３２ｂの先端部同士が内側へ傾いたときに両者が突き合わされるように干渉して所望の形状に弾性曲成することが妨げられることがなく、自動組立装置による絶縁シート３の先端部同士の重ね合わせ工程も容易に実現することが可能となる。
【００４５】
図７に、本発明に係る照明器具の実施例を示す。照明器具３０は、天井面などに直付けされる照明器具であり、略枠状の器具本体１７の両端に一対のランプソケット１８、１８が設けられている。このランプソケット１８、１８には、放電ランプである直管形蛍光ランプ１９が装着されている。また、器具本体１７は、蛍光ランプ１９に対向して断面略皿状の反射板２０を取り付けており、この反射板２０の表面は反射面２０ａとなっている。
【００４６】
また、器具本体１７は、反射板２０の内側において、図１に示した放電ランプ点灯装置１をベースケース２の底面部２ａに設けた取付孔１２に通しねじにより固定している。そして、放電ランプ点灯装置１が給電されることにより、蛍光ランプ１９が点灯する。
【００４７】
照明器具３０は、放電ランプ点灯装置１の小型化により、容易に配設スペースを確保することができ、放電ランプ点灯装置１の低コスト化により、安価に形成することができる。
【符号の説明】
【００４８】
１…電気機器としての放電ランプ点灯装置、２…ベースケース、２ａ…底面部、２ｂ…一対の側壁部、３…絶縁シート、４…点灯回路、５…カバーケース、５ａ…天板部、１７…器具本体、１９…光源としての直管形蛍光ランプ、３０…照明器具、３２ａ、３２ｂ…一対の縦壁部、３９…曲折部。
【図１】
2010244750.tif 000003
【図２】
2010244750.tif 000004
【図３】
2010244750.tif 000005
【図４】
2010244750.tif 000006
【図５】
2010244750.tif 000007
【図６】
2010244750.tif 000008
【図７】
2010244750.tif 000009